(57)【要約】  この構造体は、対向配置された第１面および第２面を有すると共に、第１面から入射した光を反射によって第２面に向けて伝搬する透明部材を備える。透明部材は、第１面と第２面との間の光路上に、第１面に対して傾斜する複数の傾斜面を有する。
2016152322.tif 000002
【特許請求の範囲】
【請求項１】
対向配置された第１面および第２面を有すると共に、前記第１面から入射した光を反射によって前記第２面に向けて伝搬する透明部材を備え、
前記透明部材は、
前記第１面と前記第２面との間の光路上に、前記第１面に対して傾斜する複数の傾斜面を有する
構造体。
【請求項２】
前記複数の傾斜面は、互いに対向する第１および第２の傾斜面の組を有する
請求項１に記載の構造体。
【請求項３】
前記透明部材は、細長い外形を有すると共に、前記透明部材の延在方向に沿って延在する貫通孔または凹部を含み、
前記第１の傾斜面は、前記透明部材の外形の一部を構成し、
前記第２の傾斜面は、前記貫通孔または前記凹部の一部を構成する
請求項２に記載の構造体。
【請求項４】
前記第２の傾斜面上に光反射層を有する
請求項３に記載の構造体。
【請求項５】
前記第１面が、被設置面である
請求項１に記載の構造体。
【請求項６】
前記第１面に透明接着層が形成されている
請求項５に記載の構造体。
【請求項７】
対向する前記第１および第２の傾斜面は、前記第１面に対する傾斜角度が互いに同一である
請求項２に記載の構造体。
【請求項８】
前記第１および第２の傾斜面の組が４つ設けられ、
前記透明部材の外形は、前記第１面および前記第２面と４つの前記第１の傾斜面とを含む六角柱状であり、
前記六角柱状の内部において、４つの前記第２の傾斜面によって囲まれた空間が前記貫通孔を成す
請求項３に記載の構造体。
【請求項９】
前記第１および第２の傾斜面の前記第１面に対する傾斜角度は４５度である
請求項８に記載の構造体。
【請求項１０】
前記第１および第２の傾斜面の組が２つ設けられ、
前記透明部材の外形は、前記第１面および前記第２面と２つの前記第１の傾斜面とを含む台形柱状であり、
前記台形柱状の前記第１面側において、２つの前記第２の傾斜面によって囲まれた空間が前記凹部を成す
請求項３に記載の構造体。
【請求項１１】
前記第１および第２の傾斜面の前記第１面に対する傾斜角度は４５度以上である
請求項１０に記載の構造体。
【請求項１２】
前記透明部材は、細長い外形状を有すると共に、前記透明部材の延在方向に沿って延在する貫通孔または凹部を含み、
前記第１および第２の傾斜面の組が１つ設けられ、
前記透明部材の外形は、前記第１面と前記第２面とを含む四角柱状であり、
前記第１および第２の傾斜面によって囲まれた空間が前記貫通孔または前記凹部を成す
請求項２に記載の構造体。
【請求項１３】
前記第１および第２の傾斜面の組が４つ設けられ、
前記透明部材は、前記第１面と２つの前記第１の傾斜面とを含む第１の台形柱状と、前記第２面と２つの前記第１の傾斜面とを含む第２の台形柱状とを含むと共に、前記第１および第２の台形柱状の各上底面同士を貼り合わせた外形を有し、
４つの前記第２の傾斜面によって囲まれた空間が前記貫通孔を成す
請求項３に記載の構造体。
【請求項１４】
前記透明部材の外形は、前記第１の傾斜面と複数の角部とを含む柱状を成し、
前記複数の角部がそれぞれ丸みを帯びている
請求項３に記載の構造体。
【請求項１５】
対向配置された第１面および第２面を有すると共に、前記第１面から入射した光を反射によって前記第２面に向けて伝搬する透明部材を有する構造体と、
前記構造体の内部または前記第１面側に配置された配線と
を備え、
前記透明部材は、
前記第１面と前記第２面との間の光路上に、前記第１面に対して傾斜する複数の傾斜面を有する
配線モジュール。
【請求項１６】
前記複数の傾斜面は、互いに対向する第１および第２の傾斜面の組を有する
請求項１５に記載の配線モジュール。
【請求項１７】
前記透明部材は、細長い外形を有すると共に、前記透明部材の延在方向に沿って延在する貫通孔または凹部を含み、
前記第１の傾斜面は、前記透明部材の外形の一部を構成し、
前記第２の傾斜面は、前記貫通孔または前記凹部の一部を構成し、
前記配線は、前記貫通孔または前記凹部の内部に収容されている
請求項１６に記載の配線モジュール。
【請求項１８】
複数のユニットを電気的に接続する配線モジュールを備え、
前記配線モジュールは、
対向配置された第１面および第２面を有すると共に、前記第１面から入射した光を反射によって前記第２面に向けて伝搬する透明部材を有する構造体と、
前記構造体の内部または前記第１面側に配置された配線と
を備え、
前記透明部材は、
前記第１面と前記第２面との間の光路上に、前記第１面に対して傾斜する複数の傾斜面を有する
電子機器。
【請求項１９】
表示パネルを含む表示ユニットと、
前記表示ユニットに供給する電源および映像信号を生成するベースユニットとを備え、
前記配線モジュールは、前記表示ユニットと前記ベースユニットとの間に配置されている
請求項１８に記載の電子機器。
【請求項２０】
前記表示ユニットは、
前記表示パネルを駆動する回路部が形成された回路基板と、
前記表示パネルへ向けて照明光を導く導光板と
を有し、
前記導光板は、前記表示パネルから露出した部分を含み、
前記回路基板は、前記導光板の露出した部分を間にして前記表示パネルと分離して配置され、
前記配線モジュールは、前記表示パネルと前記回路基板との間に、前記導光板の露出した部分に隣接して配置されている
請求項１９に記載の電子機器。
【発明の詳細な説明】
【技術分野】
【０００１】
本開示は、配線などのカバーとして用いられる構造体および配線モジュール、ならびにこの配線モジュールを備えた電子機器に関する。
【背景技術】
【０００２】
表示装置を例えば壁面に設置する場合、ＡＣ電源のケーブルなどの配線が露となり、美観を損ねる要因となっている。そこで、このような配線をいわゆるモール材や透明部材により被覆することで美観を改善する技術が提案されている（例えば、特許文献１，２）。
【先行技術文献】
【特許文献】
【０００３】
【特許文献１】特開２０１０−１２６８８９号公報
【特許文献２】国際公開第２０１４／００６９９６号パンフレット
【発明の概要】
【０００４】
しかしながら、上記特許文献１のようにモール材を用いた場合、壁面と類似の色のモール材を選択することはできるが、壁面の色や模様と完全に一致させることは難しい。このため、美観を損ねる要因となる。また、工事によって配線を壁面の内側に通すことも考えられるが、壁面の材質によっては、穴をあけることができない場合もある。
【０００５】
したがって、壁面などへの設置の際に配線を目立たなくすることが可能な構造体、配線モジュールおよび電子機器を提供することが望ましい。
【０００６】
本開示の一実施の形態の構造体は、対向配置された第１面および第２面を有すると共に、第１面から入射した光を反射によって第２面に向けて伝搬する透明部材を備えたものである。透明部材は、第１面と第２面との間の光路上に、第１面に対して傾斜する複数の傾斜面を有する。
【０００７】
本開示の一実施の形態の配線モジュールは、上記本開示の一実施の形態の構造体と、その構造体の内部または第１面側に配置された配線とを備えたものである。
【０００８】
本開示の一実施の形態の電子機器は、複数のユニットを電気的に接続する上記本開示の一実施の形態の配線モジュールを備えたものである。
【０００９】
本開示の一実施の形態の構造体、配線モジュールおよび電子機器では、第１面から入射した光を反射によって第２面に向けて伝搬する透明部材を備え、この透明部材が、第１面と第２面との間の光路上に、第１面に対して傾斜する複数の傾斜面を有している。これにより、構造体を、例えば第１面を壁面などの設置面上に設置した状態で第２面の側から観察すると、あたかも透明部材を透けて設置面が見えているかのように視認される。
【００１０】
本開示の一実施の形態の構造体、配線モジュールおよび電子機器では、第１面から入射した光を反射によって第２面に向けて伝搬する透明部材を備え、この透明部材が、第１面と第２面との間の光路上に、第１面に対して傾斜する複数の傾斜面を有している。このような構造体の内部または第１面側に配線を配置しつつ設置面上に設置することで、透明部材を透けて設置面が見えているかのように見せることができる。よって、壁面などへの設置の際に配線を目立たなくすることが可能となる。
【００１１】
尚、上記内容は本開示の一例である。本開示の効果は、上述したものに限らず、他の異なる効果であってもよいし、更に他の効果を含んでいてもよい。
【図面の簡単な説明】
【００１２】
【図１】本開示の一実施の形態に係る配線モジュールの構成を表す斜視図である。
【図２】図１に示した配線モジュールの詳細構成を表すＸＺ断面図である。
【図３】図１に示した配線モジュールが適用される電子機器の一例を表す模式図である。
【図４】図３に示した電子機器の機能構成を表すブロック図である。
【図５】図１に示した配線モジュールの効果を説明するための断面模式図である。
【図６】図１に示した配線モジュールの効果を説明するための模式図である。
【図７】変形例１に係る配線モジュールの構成を表す断面図である。
【図８】図７に示した配線モジュールの効果を説明するための断面模式図である。
【図９】変形例２に係る配線モジュールの構成を表す断面図である。
【図１０】図９に示した配線モジュールの設置箇所を説明するための模式図である。
【図１１】図９に示した配線モジュールの効果を説明するための断面模式図である。
【図１２】変形例３に係る配線モジュールの構成を表す断面図である。
【図１３】変形例４に係る配線モジュールの構成を表す断面図である。
【図１４】変形例５に係る配線モジュールの構成を表す断面図である。
【図１５】変形例６に係る配線モジュールの構成を表す断面図である。
【発明を実施するための形態】
【００１３】
以下、本開示の実施の形態について図面を参照して詳細に説明する。なお、説明は以下の順序で行う。
１．実施の形態（六角柱状の構造体の内部に配線を収容した配線モジュールおよび電子機器の例）
２．変形例１（台形柱状の構造体を用いた場合の例）
３．変形例２（導光板に一体化された配線モジュールの例）
４．変形例３（四角柱状の構造体を用いた場合の例）
５．変形例４（２つの台形柱状を組み合わせた構造体を用いた場合の例）
６．変形例５（構造体の外形の角部が丸みを帯びている場合の例）
７．変形例６（反射層を形成しない場合の例）
【００１４】
＜実施の形態＞
［構成］
図１は、本開示の一の実施の形態に係る配線モジュール（配線モジュール１０）の構成を表したものである。図２は、この配線モジュール１０の断面構成を表したものである。配線モジュール１０は、構造体（透明部材１１）の内部に配線１２が収容された（配線１２が透明部材１１によって被覆された）ものである。
【００１５】
透明部材１１は、対向配置された第１面Ｓ１と第２面Ｓ２とを有しており、この第１面Ｓ１から入射した光を反射（全反射または鏡面反射）させることによって第２面Ｓ２へ向けて伝搬させるものである。この透明部材１は、例えば細長い外形を有し、その延在方向（ここではＹ方向）に沿って延在する貫通孔Ｈ１を有している。貫通孔Ｈ１に、配線１２が収容されている。このような透明部材１１の材料としては、光透過性を有すると共に、例えば屈折率が１．５前後のアクリル樹脂またはポリメタクリル酸メチル樹脂などが挙げられる。
【００１６】
第１面Ｓ１は、配線モジュール１０（透明部材１１）の被設置面であり、設置面（設置面１１０）に接して（または近接して）、あるいは透明接着層を介して設置される面である。設置面１１０は、例えば壁面であるが、その他にも天井、窓、窓枠、床および卓上など、配線を設置可能な面であれば、特に限定されるものではない。第２面Ｓ２は、ユーザ側（設置面と反対側）に配置される面であり、この第２面Ｓ２側から配線モジュール１０が観察されることで、配線１２が隠ぺいされ、設置面が透けているように視認される。これらの第１面Ｓ１と第２面Ｓ２とは、互いに平行となるように、即ち設置面１１０に対して平行となるように配置されることが望ましい。透けて見える設置面１１０の絵が歪みにくく、より自然な見え方となるためである。
【００１７】
この透明部材１１は、互いに対向する傾斜面１３Ａ，１３Ｂの組を複数（ここでは、４つ）有している。各傾斜面１３Ａは、透明部材１１の外形の一部を構成し、各傾斜面１３Ｂは、貫通孔Ｈ１の一部を構成している。本実施の形態では、透明部材１１の外形が、第１面Ｓ１および第２面Ｓ２と、４つの傾斜面１３Ａとを含む六角柱状である。この六角柱状の透明部材１１の内部に、４つの傾斜面１３Ｂによって囲まれた空間が形成され、この空間が貫通孔Ｈ１を成している。
【００１８】
対向する傾斜面１３Ａ，１３Ｂはそれぞれ、互いに同一の角度で第１面Ｓ１に対して傾斜している。これにより、透けて見える設置面１１０の絵が歪みにくく、より自然な見え方となる。ここでは、傾斜面１３Ａ，１３Ｂは、第１面Ｓ１に対して４５度を成して傾斜している。詳細には、４つの傾斜面１３Ａは、第１面Ｓ１に対して４５度を成すと共に左右対称となるように傾斜している。４つの傾斜面１３Ｂは、それらの４つの傾斜面１３Ａのそれぞれに対向して配置され、ここでは例えば四角柱状の貫通孔Ｈ１を形成している。但し、傾斜面１３Ａ，１３Ｂの組の個数および傾斜角度等は、例示したものに限定されるものではない。また、透明部材１１および傾斜面１３Ａ，１３Ｂは対称性を持っていなくともよい。第１面Ｓ１から入射した光が全反射または鏡面反射によって透明部材１１内を伝搬され、第２面Ｓ２から出射されるように構成されていればよい。
【００１９】
透明部材１１の内部に配置される傾斜面１３Ｂ上には（傾斜面１３Ｂに隣接して）、光反射性を有する反射層１４が形成されている。反射層１４は、例えば、貫通孔Ｈ１の側面（内面）を鏡面加工することにより形成することができる。この反射層１４によって囲まれた貫通孔Ｈ１内に、配線１２が配置されている。このような透明部材１１は、例えば図２に示した線１５Ｌにおいて分離される２つの台形柱状の透明部材をそれぞれ作製し、これらを貼り合わせることで形成することが可能である。
【００２０】
（電子機器の例）
上記のような配線モジュール１０は、例えば図３および図４に示したような表示装置に使用することができる。尚、図３のＩ−Ｉ線における矢視断面構成が、図２に相当する。この表示装置は、例えば壁面などに設置した状態で使用される、壁掛けタイプのテレビジョン装置である。この表示装置は、例えば表示ユニット２０と、ベースユニット３０とを有している。これらの表示ユニット２０とベースユニット３０との間に、これらを電気的に繋ぐケーブルとして、配線モジュール１０が配置されている。
【００２１】
表示ユニット２０は、例えば表示パネル２１Ａと、スピーカ２１Ｂと、バックライト（図示せず）と、回路基板２３とを有している。回路基板２３は、例えば表示パネル２１Ａと分離して、例えば表示パネル２１Ａの下方に配置されている。この例では、表示パネル２１Ａを照明するバックライトにおいて、導光板２２の一部が表示パネル２１Ａから露出して設けられている（図３の露出部分２２ａ）。回路基板２３には、表示パネル２１Ａおよびスピーカ２１Ｂを駆動する回路部が形成されている。例えば、回路基板２３には、制御部２３０、電源２３１、映像処理部２３２およびオーディオ処理部２３３が設けられている。
【００２２】
ベースユニット３０は、表示ユニット２０に供給される電源、映像信号およびオーディオ信号等を生成するものである。ベースユニット３０は、例えば筐体の内部に、ＡＣ電源３１から供給される電源を直流電源に変換する電源部と、テレビジョン放送信号を受信する入力インターフェース部と、映像信号およびオーディオ信号等を生成するチューナ部等を有している。
【００２３】
配線モジュール１０の両端にはそれぞれ、コネクタ２５０Ａ，３１０Ａが取り付けられている。配線モジュール１０は、コネクタ２５０Ａを介して表示ユニット２０の端子部２５０に接続されると共に、コネクタ３１０Ａを介してベースユニット３０の端子部３１０に接続される。このような配線モジュール１０は、例えば透明な接着層によって壁面に固定されることが望ましい。あるいは、配線モジュール１０は壁面に対して脱着可能に取り付けられてもよい。但し、接着層を用いることにより、第１面Ｓ１と壁面（設置面１１０）との間に空気層が介在しにくく、透けて見える壁面の像がより自然なものとなる。
【００２４】
［作用および効果］
本実施の形態の配線モジュール１０では、透明部材１１が、第１面Ｓ１と第２面Ｓ２との間の光路上に、第１面Ｓ１に対して傾斜する傾斜面１３Ａ，１３Ｂの組を有している。配線１２は、このような透明部材１１の内部（傾斜面１３Ｂによって囲まれた空間である貫通孔Ｈ１）に収容される。透明部材１１では、図５に示したように、第１面Ｓ１から入射した光は、傾斜面１３Ａ，１３Ｂにおける反射（全反射または鏡面反射）によって第２面Ｓ２に向けて伝搬され、第２面Ｓ２から出射する（出射光Ｌ）。
【００２５】
具体的には、透明部材１１では、配線１２の裏側の設置面１１０から第１面Ｓ１に垂直な方向（Ｚ方向）に沿って入射した光線（Ｌａ）は、下側の傾斜面１３Ｂ（説明上、傾斜面１３Ｂ１とする）において、反射層１４により、第１面Ｓ１に平行なＸ方向正の向きに反射される。反射された光線（Ｌｂ）は、下側の傾斜面１３Ａ（説明上、傾斜面１３Ａ１とする）において、Ｚ方向正の向きに反射される。反射された光線（Ｌｃ）は、上側の傾斜面１３Ａ（説明上、傾斜面１３Ａ２とする）において、Ｘ方向負の向きに反射される。反射された光線（Ｌｄ）は、上側の傾斜面１３Ｂにおいて反射層１４により、Ｚ方向正の向きに反射され、第２面Ｓ２より出射する。つまり、ユーザが第２面Ｓ２の側から配線モジュール１０を観察した場合、配線１２の裏側にある設置面１１０が透けて見えているかのように視認される。
【００２６】
このように、透明部材１１における第１面Ｓ１と第２面Ｓ２との間の光路上に所定の傾斜面１３Ａ，１３Ｂを設けることにより、配線１２を隠ぺいしつつ、あたかも設置面１１０上に何も置かれていないかのように見せることができる。図６にそのイメージを示す。このように、例えば設置面１１０が格子状の模様（格子柄）を有する場合に、その設置面１１０上に配線モジュール１０を設置し、第２面Ｓ２側から配線モジュール１０を見ると、配線モジュール１０の裏側にある設置面１１０の格子柄が透け、あたかも設置面１１０上に何も置かれていないかのように見える。よって、壁面などへの設置の際に配線１２を目立たなくすることが可能となる。これにより、表示装置を壁面に設置する場合などに、配線ケーブルが露出し、美観を損ねることを抑制することができる。
【００２７】
また、透明部材１１の外形が六角柱状であり、各傾斜面１３Ａ，１３Ｂが第１面Ｓ１に対して４５度を成すように配置されることで、上述のように、第１面Ｓ１に垂直な方向から入射した光が、第２面Ｓ２に垂直な方向に出射する。透けて見える設置面１１０の像に歪みが生じにくく、より自然な見え方となる。
【００２８】
加えて、表示装置のような電子機器において、図３に示したように、表示パネル２１Ａと回路基板２３とを分離して配置することで、表示装置の薄型化および軽量化を実現することができる。このような場合にも表示パネル２１Ａと回路基板２３とを繋ぐ電源ケーブルおよび信号線等の配線が露となり、美観が損なわれることがあるが、表示パネル２１Ａと回路基板２３とを繋ぐ配線ケーブルとして、上記のような配線モジュール１０を用いることで、美観を損なわずに、薄型化および軽量化を実現することができる。
【００２９】
以上のように、本実施の形態では、第１面Ｓ１から入射した光を反射によって第２面Ｓ２に向けて伝搬する透明部材１１が、第１面Ｓ１と第２面Ｓ２との間の光路上に、第１面Ｓ１に対して傾斜する傾斜面１３Ａ，１３Ｂの組を有している。このような透明部材１１の内部（貫通孔Ｈ１）に配線１２を収容した状態で、配線モジュール１０を設置面１１０上に設置することで、透明部材１１を透けて設置面１１０が見えているかのように見せることができる。よって、壁面などへの設置の際に配線を目立たなくすることが可能となる。
【００３０】
以下、上記実施の形態の変形例について説明する。尚、上記実施の形態と同様の構成要素については同一の符号を付し、適宜その説明を省略する。
【００３１】
＜変形例１＞
図７は、変形例１に係る配線モジュール（配線モジュール１０Ａ）の断面構成を表したものである。配線モジュール１０Ａは、上記実施の形態の配線モジュール１０と同様、構造体（透明部材１１Ａ）の内部に配線１２が収容された（配線１２が透明部材１１Ａによって被覆された）ものである。また、上記実施の形態において説明した表示ユニット２０およびベースユニット３０を有する表示装置などの電子機器に適用可能である。
【００３２】
透明部材１１Ａは、対向配置された第１面Ｓ１と第２面Ｓ２とを有しており、この第１面Ｓ１から入射した光を反射（全反射または鏡面反射）させることによって第２面Ｓ２へ向けて伝搬させるものである。この透明部材１１Ａは、例えば細長い外形を有し、その延在方向（Ｙ方向）に沿って延在する凹部Ｈ２を有している。凹部Ｈ２に、配線１２が収容されている。この透明部材１１Ａの材料としては、上記実施の形態の透明部材１１と同様、光透過性を有すると共に、例えば屈折率が１．５前後のアクリル樹脂またはポリメタクリル酸メチル樹脂などが挙げられる。この透明部材１１Ａの第１面Ｓ１と設置面１１０との間には、透明接着層１６が形成されていることが望ましい。空気界面を減らし、第１面Ｓ１から透明部材１１Ａ内に光線を取り込み易くするためである。
【００３３】
この透明部材１１Ａは、互いに対向する傾斜面（傾斜面１３Ｃ，１３Ｄ）の組を複数（ここでは、２つ）有している。各傾斜面１３Ｃは、透明部材１１Ａの外形の一部を構成し、各傾斜面１３Ｄは、凹部Ｈ２の一部を構成している。本変形例では、透明部材１１Ａの外形が、第１面Ｓ１および第２面Ｓ２と、２つの傾斜面１３Ｃとを含む台形柱状である。この台形柱状の透明部材１１Ａの第１面Ｓ１の側に、２つの傾斜面１３Ｄによって囲まれた空間が形成され、この空間が凹部Ｈ２を成している。
【００３４】
対向する傾斜面１３Ｃ，１３Ｄはそれぞれ、互いに同一の角度で第１面Ｓ１に対して傾斜している。これにより、透けて見える設置面１１０の絵が歪みにくく、より自然な見え方となる。ここでは、傾斜面１３Ｃ，１３Ｄは、第１面Ｓ１に対して４５度以上（例えば５５度）を成して傾斜している。詳細には、２つの傾斜面１３Ｃは、第１面Ｓ１に対して５５度を成すと共に左右対称となるように傾斜している。２つの傾斜面１３Ｄは、それらの２つの傾斜面１３Ｃのそれぞれに対向して配置され、ここでは例えば三角柱状の凹部Ｈ２を形成している。傾斜面１３Ｄ上には（傾斜面１３Ｄに隣接して）、反射層１４が形成されている。この反射層１４によって囲まれた凹部Ｈ２内に、配線１２が配置されている。
【００３５】
本変形例の配線モジュール１０Ａでは、透明部材１１Ａが、第１面Ｓ１と第２面Ｓ２との間の光路上に、第１面Ｓ１に対して傾斜する傾斜面１３Ｃ，１３Ｄの組を有している。配線１２は、このような透明部材１１Ａの第１面Ｓ１側（傾斜面１３Ｄによって囲まれた空間である凹部Ｈ２）に収容される。透明部材１１Ａでは、図８に示したように、第１面Ｓ１から入射した光は、傾斜面１３Ｃ，１３Ｄにおける反射（全反射または鏡面反射）によって第２面Ｓ２に向けて伝搬され、第２面Ｓ２から出射する（出射光Ｌ１ａ，Ｌ１ｂ，Ｌ１ｃ）。つまり、ユーザが第２面Ｓ２の側から配線モジュール１０Ａを観察した場合、配線１２の裏側にある設置面１１０が透けているかのように見える。このように、配線１２を隠ぺいしつつ、あたかも設置面１１０上に何も置かれていないかのように見せることができる。よって、上記実施の形態とほぼ同等の効果を得ることができる。
【００３６】
また、本変形例では、傾斜面１３Ｃ，１３Ｄが、第１面Ｓ１に対して４５度以上の角度を成して傾斜している。これにより、視野角に対する対応範囲が広がり、斜め方向から配線モジュール１０Ａを見た場合にも、配線１２を目立たなくすることが可能となる。
【００３７】
＜変形例２＞
図９は、変形例２に係る配線モジュール（配線モジュール１０Ｂ）の断面構成を表したものである。配線モジュール１０Ｂは、上記実施の形態の配線モジュール１０と同様、構造体（透明部材１１Ｂ）の内部に配線１２が収容された（配線１２が透明部材１１Ｂによって被覆された）ものである。また、上記実施の形態において説明した表示ユニット２０およびベースユニット３０を有する表示装置などの電子機器に適用可能である。但し、本変形例の配線モジュール１０Ｂでは、透明部材１１Ｂが、導光板２２と一体化されて配置されている。具体的には、透明部材１１Ｂは、導光板２２と略同じ厚みで、導光板２２に隣接して配置されている。
【００３８】
透明部材１１Ｂは、対向配置された第１面Ｓ１と第２面Ｓ２とを有しており、この第１面Ｓ１から入射した光を反射（全反射または鏡面反射）させることによって第２面Ｓ２へ向けて伝搬させるものである。この透明部材１１Ｂは、例えば細長い外形を有し、その延在方向（Ｙ方向）に沿って延在する貫通孔または凹部を有している。ここでは、透明部材１１Ｂの側面（導光板２２に隣接する面）に凹部Ｈ３が形成されている。この凹部Ｈ３に、配線１２が収容されている。この透明部材１１Ｂの材料としては、上記実施の形態の透明部材１１と同様、光透過性を有すると共に、例えば屈折率が１．５前後のアクリル樹脂またはポリメタクリル酸メチル樹脂などが挙げられる。
【００３９】
この透明部材１１Ｂは、第１面Ｓ１に対して傾斜する傾斜面（傾斜面１３Ｅ，１３Ｆ）の組を１つ有している。傾斜面１３Ｅ，１３Ｆが、凹部Ｈ３の一部を構成している。本変形例では、透明部材１１Ｂの外形が、第１面Ｓ１および第２面Ｓ２を含む四角柱状である。この四角柱状の内側に、傾斜面１３Ｅ，１３Ｆによって囲まれた空間である凹部Ｈ３を成している。
【００４０】
傾斜面１３Ｅ，１３Ｆはそれぞれ、例えば４５度以上の角度で第１面Ｓ１に対して傾斜している。これらの傾斜面１３Ｅ，１３Ｆ上には（傾斜面１３Ｅ，１３Ｆに隣接して）、反射層１４が形成されている。凹部Ｈ３に対向する導光板２２の側面にも、反射層１４が形成されている。この反射層１４によって囲まれた凹部Ｈ３内に、配線１２が配置されている。
【００４１】
本変形例の配線モジュール１０Ｂは、例えば図１０に示したように、表示パネル２１Ａのバックライトにおいて、導光板２２の一部（露出部分２２ａ）が表示パネル２１Ａから露出し、かつ回路基板２３が表示パネル２１Ａから分離して配置される場合に特に有効である。回路基板２３は、導光板２２の露出部分２２ａを間にして、表示パネル２１Ａと分離して配置されている。尚、図１０のII−II線における矢視断面構成が、図９に相当する。導光板２２の露出部分２２ａに隣接して（一体化して）配線モジュール１０Ｂを設けることで、表示パネル２１Ａ（あるいはスピーカ２１Ｂ）と、回路基板２３とを繋ぐ配線ケーブル（図４中のＣ１に相当する配線）を目立たないよう配置し、美観が損なわれることを抑制できる。
【００４２】
このように、本変形例においても、透明部材１１Ｂが、第１面Ｓ１と第２面Ｓ２との間の光路上に、第１面Ｓ１に対して傾斜する傾斜面１３Ｅ，１３Ｆの組を有している。配線１２は、このような透明部材１１Ｂの凹部Ｈ３に収容される。透明部材１１Ｂでは、図１１に示したように、第１面Ｓ１から入射した光は、傾斜面１３Ｅ，１３Ｆおよび透明部材１１Ｂの側面における反射（全反射または鏡面反射）によって第２面Ｓ２に向けて伝搬され、第２面Ｓ２から出射する（出射光Ｌ２）。つまり、ユーザが第２面Ｓ２の側から配線モジュール１０Ａを観察した場合、配線１２の裏側にある設置面１１０が透けているかのように見える。このように、配線１２を隠ぺいしつつ、あたかも設置面１１０上に何も置かれていないかのように見せることができる。よって、上記実施の形態とほぼ同等の効果を得ることができる。
【００４３】
＜変形例３＞
図１２は、変形例３に係る配線モジュール１０Ｂの断面構成を表したものである。上記変形例２では、導光板に隣接して配線モジュール１０Ｂが配置された構成について説明したが、この配線モジュール１０Ｂは、図１２に示したように、単独で使用されても構わない。
【００４４】
＜変形例４＞
図１３は、変形例４に係る配線モジュール（配線モジュール１０Ｃ）の断面構成を表したものである。配線モジュール１０Ｃは、上記実施の形態の配線モジュール１０と同様、構造体（透明部材１１Ｃ）の内部に配線１２が収容された（配線１２が透明部材１１Ｃによって被覆された）ものである。また、上記実施の形態において説明した表示ユニット２０およびベースユニット３０を有する表示装置などの電子機器の配線ケーブルに適用可能である。
【００４５】
透明部材１１Ｃは、対向配置された第１面Ｓ１と第２面Ｓ２とを有しており、この第１面Ｓ１から入射した光を反射（全反射または鏡面反射）させることによって第２面Ｓ２へ向けて伝搬させるものである。この透明部材１１Ｃは、例えば細長い外形を有し、その延在方向（Ｙ方向）に沿って延在する貫通孔Ｈ４を有している。貫通孔Ｈ４に、配線１２が収容されている。この透明部材１１Ｃの材料としては、上記実施の形態の透明部材１１と同様、光透過性を有すると共に、例えば屈折率が１．５前後のアクリル樹脂またはポリメタクリル酸メチル樹脂などが挙げられる。
【００４６】
この透明部材１１Ｃは、互いに対向する傾斜面（傾斜面１３Ｇ，１３Ｈ）の組を複数（ここでは、４つ）有している。各傾斜面１３Ｇは、透明部材１１Ｃの外形の一部を構成し、各傾斜面１３Ｈは、貫通孔Ｈ４の一部を構成している。本変形例では、透明部材１１Ｃが、第１面Ｓ１および２つの傾斜面１３Ｇを含む台形柱状と、第２面Ｓ２および２つの傾斜面１３Ｇとを含む台形柱状とを含んでいる。透明部材１１Ｃは、これらの２つの台形柱状を各上底面同士を貼り合わせてなる外形を有している。このような透明部材１１Ｃの内部に、４つの傾斜面１３Ｈによって囲まれた空間が形成され、この空間が貫通孔Ｈ４を成している。
【００４７】
傾斜面１３Ｇ，１３Ｈは、第１面Ｓ１に対して４５度以上を成して傾斜している。傾斜面１３Ｈ上には（傾斜面１３Ｈに隣接して）、反射層１４が形成されている。この反射層１４によって囲まれた貫通孔Ｈ４内に、配線１２が配置されている。
【００４８】
本変形例の配線モジュール１０Ｃでは、透明部材１１Ｃが、第１面Ｓ１と第２面Ｓ２との間の光路上に、第１面Ｓ１に対して傾斜する傾斜面１３Ｇ，１３Ｈの組を有している。配線１２は、このような透明部材１１Ａの内部（傾斜面１３Ｈによって囲まれた空間である貫通孔Ｈ４）に収容される。透明部材１１Ｃでは、図１３に示したように、第１面Ｓ１から入射した光は、傾斜面１３Ｇ，１３Ｈにおける反射（全反射または鏡面反射）によって第２面Ｓ２に向けて伝搬され、第２面Ｓ２から出射する（出射光Ｌ３）。つまり、ユーザが第２面Ｓ２の側から配線モジュール１０Ｃを観察した場合、配線１２の裏側にある設置面１１０が透けているように見える。このように、配線１２を隠ぺいしつつ、あたかも設置面１１０上に何も置かれていないかのように見せることができる。よって、上記実施の形態とほぼ同等の効果を得ることができる。
【００４９】
＜変形例５＞
図１４は、変形例５に係る配線モジュール（配線モジュール１０Ｄ）の断面構成を表したものである。本変形例のように、透明部材（透明部材１１Ｄ）において、外形の角部が丸みを帯びていてもよい。具体的には、上記実施の形態の透明部材１１と同様の傾斜面１３Ａ，１３Ｂを有する六角柱状の透明部材１１Ｄにおいて、各角部１７Ｒが丸みを帯びている。このように、角部１７Ｒが丸みをもつことで、角部１７Ｒに人や物がぶつかった場合などにおける損傷抑制にも繋がる。
【００５０】
＜変形例６＞
図１５は、変形例６に係る配線モジュール（配線モジュール１０Ｅ）の断面構成を表したものである。上記実施の形態等では、内側の傾斜面に反射層１４を形成した場合を例に挙げて説明したが、本変形例のように、反射層１４は必ずしも形成されていなくともよい。つまり、鏡面反射によらずとも、傾斜面１３Ａ，１３Ｂによる全反射によって第１面Ｓ１から第２面Ｓ２へ光を伝搬させることで、配線１２の裏側の設置面１１０が透けているかのように見せることも可能である。但し、上記実施の形態のように、反射層１４を設けた場合の方が、より配線１２が視認されにくいため望ましい。
【００５１】
以上、実施の形態および変形例を挙げて本開示を説明したが、本開示は上記実施の形態等に限定されるものではなく、種々の変形が可能である。例えば、上記実施の形態等において説明した各部材の材料などは限定されるものではなく、他の材料としてもよい。
【００５２】
また、本開示の透明部材の外形、傾斜面の個数および傾斜面の傾斜角度などは、上記実施の形態等において説明した例に限定されず、他の様々な変形が可能である。また、上記実施の形態等では、透明部材の外形を構成する第１の傾斜面と、この第１の傾斜面に対向する第２の傾斜面とが、互いに同一の傾斜角度である場合を例示したが、第１および第２の傾斜面の傾斜角度は互いに異なっていてもよい。但し、同一である場合の方が、透けてみえる設置面の歪みが生じにくく、より自然なものとなる。
【００５３】
更に、上記実施の形態等では、電子機器として表示装置を例に挙げたが、本開示の電子機器は、表示装置に限らず、例えばＡＶ機器などの他の電子機器にも適用可能である。
【００５４】
なお、本明細書中に記載された効果はあくまで例示であってその記載に限定されるものではなく、他の効果があってもよい。また、本技術は以下のような構成を取り得るものである。
（１）
対向配置された第１面および第２面を有すると共に、前記第１面から入射した光を反射によって前記第２面に向けて伝搬する透明部材を備え、
前記透明部材は、
前記第１面と前記第２面との間の光路上に、前記第１面に対して傾斜する複数の傾斜面を有する
構造体。
（２）
前記複数の傾斜面は、互いに対向する第１および第２の傾斜面の組を有する
上記（１）に記載の構造体。
（３）
前記透明部材は、細長い外形を有すると共に、前記透明部材の延在方向に沿って延在する貫通孔または凹部を含み、
前記第１の傾斜面は、前記透明部材の外形の一部を構成し、
前記第２の傾斜面は、前記貫通孔または前記凹部の一部を構成する
上記（２）に記載の構造体。
（４）
前記第２の傾斜面上に光反射層を有する
上記（３）に記載の構造体。
（５）
前記第１面が、被設置面である
上記（１）ないし（４）のいずれかに記載の構造体。
（６）
前記第１面に透明接着層が形成されている
上記（５）に記載の構造体。
（７）
対向する前記第１および第２の傾斜面は、前記第１面に対する傾斜角度が互いに同一である
上記（２）に記載の構造体。
（８）
前記第１および第２の傾斜面の組が４つ設けられ、
前記透明部材の外形は、前記第１面および前記第２面と４つの前記第１の傾斜面とを含む六角柱状であり、
前記六角柱状の内部において、４つの前記第２の傾斜面によって囲まれた空間が前記貫通孔を成す
上記（３）ないし（７）のいずれかに記載の構造体。
（９）
前記第１および第２の傾斜面の前記第１面に対する傾斜角度は４５度である
上記（８）に記載の構造体。
（１０）
前記第１および第２の傾斜面の組が２つ設けられ、
前記透明部材の外形は、前記第１面および前記第２面と２つの前記第１の傾斜面とを含む台形柱状であり、
前記台形柱状の前記第１面側において、２つの前記第２の傾斜面によって囲まれた空間が前記凹部を成す
上記（３）ないし（７）のいずれかに記載の構造体。
（１１）
前記第１および第２の傾斜面の前記第１面に対する傾斜角度は４５度以上である
上記（１０）に記載の構造体。
（１２）
前記透明部材は、細長い外形状を有すると共に、前記透明部材の延在方向に沿って延在する貫通孔または凹部を含み、
前記第１および第２の傾斜面の組が１つ設けられ、
前記透明部材の外形は、前記第１面と前記第２面とを含む四角柱状であり、
前記第１および第２の傾斜面によって囲まれた空間が前記貫通孔または前記凹部を成す
上記（２）に記載の構造体。
（１３）
前記第１および第２の傾斜面の組が４つ設けられ、
前記透明部材は、前記第１面と２つの前記第１の傾斜面とを含む第１の台形柱状と、前記第２面と２つの前記第１の傾斜面とを含む第２の台形柱状とを含むと共に、前記第１および第２の台形柱状の各上底面同士を貼り合わせた外形を有し、
４つの前記第２の傾斜面によって囲まれた空間が前記貫通孔を成す
上記（３）に記載の構造体。
（１４）
前記透明部材の外形は複数の角部を含み、
前記複数の角部がそれぞれ丸みを帯びている
上記（３）ないし（１３）に記載の構造体。
（１５）
対向配置された第１面および第２面を有すると共に、前記第１面から入射した光を反射によって前記第２面に向けて伝搬する透明部材を有する構造体と、
前記構造体の内部または前記第１面側に配置された配線と
を備え、
前記透明部材は、
前記第１面と前記第２面との間の光路上に、前記第１面に対して傾斜する複数の傾斜面を有する
配線モジュール。
（１６）
前記複数の傾斜面は、互いに対向する第１および第２の傾斜面の組を有する
上記（１５）に記載の配線モジュール。
（１７）
前記透明部材は、細長い外形を有すると共に、前記透明部材の延在方向に沿って延在する貫通孔または凹部を含み、
前記第１の傾斜面は、前記透明部材の外形の一部を構成し、
前記第２の傾斜面は、前記貫通孔または前記凹部の一部を構成し、
前記配線は、前記貫通孔または前記凹部の内部に収容されている
上記（１６）に記載の配線モジュール。
（１８）
複数のユニットを電気的に接続する配線モジュールを備え、
前記配線モジュールは、
対向配置された第１面および第２面を有すると共に、前記第１面から入射した光を反射によって前記第２面に向けて伝搬する透明部材を有する構造体と、
前記構造体の内部または前記第１面側に配置された配線と
を備え、
前記透明部材は、
前記第１面と前記第２面との間の光路上に、前記第１面に対して傾斜する複数の傾斜面を有する
電子機器。
（１９）
表示パネルを含む表示ユニットと、
前記表示ユニットに供給する電源および映像信号を生成するベースユニットとを備え、
前記配線モジュールは、前記表示ユニットと前記ベースユニットとの間に配置されている
上記（１８）に記載の電子機器。
（２０）
前記表示ユニットは、
前記表示パネルを駆動する回路部が形成された回路基板と、
前記表示パネルへ向けて照明光を導く導光板と
を有し、
前記導光板は、前記表示パネルから露出した部分を含み、
前記回路基板は、前記導光板の露出した部分を間にして前記表示パネルと分離して配置され、
前記配線モジュールは、前記表示パネルと前記回路基板との間に、前記導光板の露出した部分に隣接して配置されている
請求項１８に記載の電子機器。
【００５５】
本出願は、日本国特許庁において２０１５年３月２４日に出願された日本特許出願番号第２０１５−０６１４７１号を基礎として優先権を主張するものであり、この出願のすべての内容を参照によって本出願に援用する。
【００５６】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2016152322.tif 000003
【図２】
2016152322.tif 000004
【図３】
2016152322.tif 000005
【図４】
2016152322.tif 000006
【図５】
2016152322.tif 000007
【図６】
2016152322.tif 000008
【図７】
2016152322.tif 000009
【図８】
2016152322.tif 000010
【図９】
2016152322.tif 000011
【図１０】
2016152322.tif 000012
【図１１】
2016152322.tif 000013
【図１２】
2016152322.tif 000014
【図１３】
2016152322.tif 000015
【図１４】
2016152322.tif 000016
【図１５】
2016152322.tif 000017
【国際調査報告】
2016152322.tif 000018
2016152322.tif 000019
2016152322.tif 000020
2016152322.tif 000021